(57)【要約】【課題】背側部における排泄の有無及びその排泄液の位置を容易且つ正確に確認できる吸収性物品を提供すること。【解決手段】裏面シート３と吸収体４との間に、水分との接触により変色する変色する剤の塗布部１１Ｓ，１２Ｓを含んで構成されるインジケータ部１０が、少なくとも股下部Ｂ及び背側部Ｃに亘って縦方向Ｘに延びるように形成されている。インジケータ部１０の背側領域１０Ｐに、インジケータ部１０の他の部位に比して変色後の前記変色する剤の塗布部の視認性の低い低視認性部１３と、該低視認性部１３に比して該視認性の高い高視認性部１１，１２とが設けられている。低視認性部１３は、インジケータ部１０の横方向Ｙの全長に亘って前記変色する剤が塗布されていない非塗布部１３Ａからなる。【選択図】図１
2014147433.tif 000002
【特許請求の範囲】
【請求項１】
吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を有する縦長の吸収性物品であって、
前記裏面シートと前記吸収体との間に、水分との接触により変色する剤の塗布部を含んで構成されるインジケータ部が、少なくとも前記股下部及び前記背側部に亘って縦方向に延びるように形成されており、
前記インジケータ部の前記背側部側の縦方向端部から前記股下部の縦方向中央に亘る、該インジケータ部の背側領域に、該インジケータ部の他の部位に比して変色後の前記塗布部の視認性の低い低視認性部と、該低視認性部に比して該視認性の高い高視認性部とが設けられており、該低視認性部を挟んで縦方向の両側に該高視認性部が位置しており、
１）前記低視認性部は、前記インジケータ部の横方向の全長に亘って前記変色する剤が塗布されていない非塗布部からなるか、又は、
２）前記インジケータ部の任意の部位を横方向に横断する１本の仮想直線と前記塗布部との重なり部分の長さの合計を、該部位における前記変色する剤の塗布幅とした場合、前記低視認性部は、前記高視認性部に比して、該塗布幅が小さい吸収性物品。
【請求項２】
前記低視認性部は、前記インジケータ部の前記背側部側の縦方向端部から縦方向内方に５０ｍｍ以内に存している請求項１記載の吸収性物品。
【請求項３】
前記低視認性部の縦方向の長さは２〜２０ｍｍである請求項１又は２記載の吸収性物品。
【請求項４】
前記インジケータ部の前記背側部側の縦方向端部を形成する前記高視認性部は、該高視認性部に隣接する前記低視認性部を挟んで縦方向の反対側に位置する、他の前記高視認性部に比して、変色後の色が濃い請求項１〜３の何れか一項に記載の吸収性物品。
【請求項５】
前記インジケータ部の前記背側部側の縦方向端部を形成する前記高視認性部は、該高視認性部に隣接する前記低視認性部を挟んで縦方向の反対側に位置する、他の前記高視認性部に比して、前記塗布幅が大きい請求項１〜４の何れか一項に記載の吸収性物品。
【請求項６】
前記裏面シートに、該裏面シートの地色とは異なる色のデザイン要素が複数印刷されており、
前記裏面シートにおける、前記インジケータ部を前記吸収性物品の前記背側部側の縦方向端部に向けて仮想的に延長した場合のその仮想延長線と重なる領域は、該裏面シートの該領域以外の他の領域に比して、前記デザイン要素の単位面積当たりの数が少ない請求項１〜５の何れか一項に記載の吸収性物品。
【請求項７】
前記裏面シートにおける、前記インジケータ部を前記吸収性物品の前記背側部側の縦方向端部に向けて仮想的に延長した場合のその仮想延長線と重なる領域には、印刷が施されていない請求項１〜５の何れか一項に記載の吸収性物品。
【請求項８】
前記吸収性物品は使い捨ておむつである請求項１〜７の何れか一項に記載の吸収性物品。
【発明の詳細な説明】
【技術分野】
【０００１】
本発明は、使い捨ておむつ等の吸収性物品に関する。
【背景技術】
【０００２】
これまで、排尿等によって濡れた場合に取り替え時期を知らせる機能を有するインジケータを備えた使い捨ておむつが種々提案されている。例えば特許文献１には、使い捨ておむつの股下部における裏面シートと吸収体との間に、液体との接触により色又は色相を失う又は変える染料からなるインジケータを設けることが記載されており、また特許文献２には、初期色相が無色のウェットインジケータ組成物からなるインジケータを使い捨ておむつに設けることが記載されている。また、特許文献１及び２には、インジケータの配置パターンとして、おむつの縦方向（長手方向）又は横方向（幅方向）にインジケータを間欠的に配することが記載されている（特許文献１の図１及び図３並びに特許文献２の図５の記載参照）。
【０００３】
また特許文献３には、吸収性コアと裏面シートとの間の所定部位に配され且つ水分と接触すると変色する、親水性の剤を含む線状の可変模様と、水分と接触しても変色しない線状の不変模様とを、使い捨ておむつの股下部において交差させるように配する（例えば両模様を格子状に配する）ことが記載されている。可変模様と不変模様とは、該可変模様の変色前は互いに同じ色か類似色、該可変模様の変色後は互いに非類似の色とされるか、又は、該可変模様の変色前は互いに類似性のない色、該可変模様の変色後は互いに同じ色か類似色とされる。特許文献３によれば、尿との接触により可変模様が変色すると、おむつを外部から観察する観察者は、その変色部の周辺の不変模様の色との比較により違和感を覚えるので、おむつの取り替え時期を知ることができるとされている。
【０００４】
また、この種のインジケータは、通常、排尿等によって濡れると外部から認識し易いように顕在化するところ、斯かるインジケータの顕在化によって排尿したことが、おむつ着用者の保護者（例えばおむつ着用者が乳幼児の場合は母親）以外の第三者に認識されるとおむつ着用者の自尊心を傷つける場合がある点に鑑み、特許文献４には、裏面シートと吸液性コアとの間に界面活性剤が塗布された中間シートを配すると共に、該裏面シート及び／又は該中間シートの対向面に、水溶性着色剤を用いて、外部から視認可能な所定形状を描いておき、排泄された尿が該界面活性剤と該着色剤とを溶かし、尿に溶けたこれら両剤が該中間シートを透過して該吸液性コアに吸収されることで、該水溶性着色剤によって描かれた所定形状が実質的に消失するように構成された使い捨ておむつが記載されている。特許文献４の図１には、この水溶性着色剤によって描かれた所定形状の一例として、おむつの腹側部から股下部にかけて縦方向へ間欠的に並ぶ３つの星の形状が記載されている。
【先行技術文献】
【特許文献】
【０００５】
【特許文献１】特開２００４−５０３２９７号公報
【特許文献２】特開２００８−１０４８５０号公報
【特許文献３】特開２００５−２１３８９号公報
【特許文献４】特開２００３−７０８３７号公報
【発明の概要】
【発明が解決しようとする課題】
【０００６】
使い捨ておむつにインジケータを設ける場合、前記各特許文献に記載されているように、尿等の排泄液を最初に受ける部位（排泄ポイント）から吸収性物品の縦方向の前後に延びるように、インジケータを設けるのが一般的である。排泄ポイントは、通常、股下部の縦方向中央又はその近傍に位置する。また、おむつの背側部は、排泄ポイントから離れているものの、例えば、おむつ着用者が仰向けの姿勢をとっている場合やチャイルドシートに座っている場合には、圧迫されて排泄液の吸収容量が実質的に低下した状態となり易いため、少ない排泄量でも漏れが発生するおそれがあり、おむつの取り替え時期を見極める際のポイントとなる部位である。そのため、インジケータには、単に尿等の排泄があったことだけでなく、排泄液が排泄ポイントを起点として背側部のどの位置まで到達しているかという、排泄液の位置情報、換言すれば、おむつが有する吸収容量がどの程度使用されているかを知らせる機能が要望されている。
【０００７】
また、例えば、乳幼児が着用しているおむつのインジケータの視覚的変化をその母親が確認する場合において、乳幼児がおむつの上に更に衣服を着用していない場合は、インジケータの視覚的変化は比較的容易に確認できるが、一般にはおむつの上に更に衣服を着用している場合が多く、その場合は、衣服のウエスト周りや脚周りにおける該衣服とおむつとの隙間から内部のインジケータを覗き見なくてはならず、該隙間が小さい場合はインジケータに対して角度的に斜めに見る必要があり、従来のインジケータを備えたおむつでは、インジケータの視覚的変化、特に、背側部における排泄液の位置情報を正確に把握することはできなかった。
【０００８】
従って、本発明は、背側部における排泄の有無及びその排泄液の位置を容易且つ正確に確認できる吸収性物品に関する。
【課題を解決するための手段】
【０００９】
本発明は、吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を有する縦長の吸収性物品であって、前記裏面シートと前記吸収体との間に、水分との接触により変色する剤の塗布部を含んで構成されるインジケータ部が、少なくとも前記股下部及び前記背側部に亘って縦方向に延びるように形成されており、前記インジケータ部の前記背側部側の縦方向端部から前記股下部の縦方向中央に亘る、該インジケータ部の背側領域に、該インジケータ部の他の部位に比して変色後の前記塗布部の視認性の低い低視認性部と、該低視認性部に比して該視認性の高い高視認性部とが設けられており、該低視認性部を挟んで縦方向の両側に該高視認性部が位置しており、１）前記低視認性部は、前記インジケータ部の横方向の全長に亘って前記変色する剤が塗布されていない非塗布部からなるか、又は、２）前記インジケータ部の任意の部位を横方向に横断する１本の仮想直線と前記塗布部との重なり部分の長さの合計を、該部位における前記変色する剤の塗布幅とした場合、前記低視認性部は、前記高視認性部に比して、該塗布幅が小さい吸収性物品を提供するものである。
【発明の効果】
【００１０】
本発明の吸収性物品によれば、背側部における排泄の有無及びその排泄液の位置を容易且つ正確に確認することができる。
【図面の簡単な説明】
【００１１】
【図１】図１は、本発明の吸収性物品の一実施形態としての使い捨ておむつを各部の弾性部材を伸張させて平面状に拡げた展開状態を示す裏面シート側（非肌対向面側）の一部破断平面図である。
【図２】図２は、図１のＩ−Ｉ線断面を模式的に示す断面図である。
【図３】図３（ａ）〜図３（ｃ）は、それぞれ、本発明に係るインジケータ部の変形例を模式的に示す平面図である。
【図４】図４（ａ）〜図４（ｃ）は、それぞれ、本発明に係るインジケータ部の他の変形例を模式的に示す平面図である。
【発明を実施するための形態】
【００１２】
以下、本発明の吸収性物品について、その好ましい一実施形態である使い捨ておむつに基づき図面を参照しながら説明する。本実施形態のおむつ１は、図１及び図２に示すように、吸収体４及び該吸収体４の非肌対向面側に配された裏面シート３を備え、着用者の前後方向に相当する縦方向Ｘとこれに直交する横方向Ｙとを有している。
【００１３】
尚、本明細書において、肌対向面は、吸収性物品（おむつ１）又はその構成部材（表面シート２、裏面シート３、吸収体４等）における、吸収性物品の着用時に着用者の肌側に向けられる面であり、非肌対向面は、吸収性物品又はその構成部材における、吸収性物品の着用時に肌側とは反対側（着衣側）に向けられる面である。また、縦方向Ｘは、吸収性物品又はその構成部材（吸収体４等）の長辺に沿う方向（長手方向）に一致し、横方向Ｙは、吸収性物品又はその構成部材（吸収体４等）の幅方向に一致する。
【００１４】
更に説明すると、おむつ１は、いわゆる展開型の使い捨ておむつであり、図１及び図２に示すように、肌対向面を形成する液透過性の表面シート２、非肌対向面を形成する液不透過性ないし撥水性（以下、これらを総称して液不透過性という）の裏面シート３、及び両シート２，３間に配置された液保持性の吸収体４を具備し、図１に示す如き平面視において一方向（縦方向Ｘ）に長い形状をしており実質的に縦長である。表面シート２及び裏面シート３は、それぞれ、吸収体４よりも大きな寸法を有し、吸収体４の周縁から外方に延出している。
【００１５】
おむつ１は、図１に示すように、着用時に着用者の腹側に配される腹側部Ａ、股間部に配される股下部Ｂ及び背側に配される背側部Ｃを縦方向Ｘに有している。股下部Ｂは、尿等の排泄液を最初に受ける部位（排泄ポイント）を含んでいる。おむつ１は、股下部Ｂの縦方向Ｘに沿う両側縁が内向きの円弧状に湾曲しており、図１に示す如き平面視において、縦方向Ｘの中央部が内方に括れた砂時計状の形状を有している。
【００１６】
腹側部Ａは、おむつ１の縦方向Ｘの一端部１ａ（吸収性物品における、着用時に着用者の腹側に配される部位の縦方向端部）から、おむつ１の縦方向Ｘの全長の２５〜４０％以内の領域である。また、背側部Ｃは、おむつ１の縦方向Ｘの他端部１ｃ（吸収性物品における、着用時に着用者の背側に配される部位の縦方向端部）から、おむつ１の縦方向Ｘの全長の２５〜４０％以内の領域である。また、股下部Ｂは、腹側部Ａと背側部Ｃとに挟まれた領域であり、おむつ１の縦方向Ｘの全長の２０〜５０％を占める。吸収性物品（使い捨ておむつ）をその縦方向に股下部と腹側部と背側部とに区分する場合、その縦方向（長手方向）の全長を３分割した際の、真ん中を股下部、腹側を腹側部、背側を背側部と見ることができ、本実施形態のおむつ１もそのように区分可能である。
【００１７】
吸収体４は、図２に示すように、液保持性の吸収性コア４０と該吸収性コア４０を被覆する透水性のコアラップシート４１とを含んで構成されている。コアラップシート４１は、吸収性コア４０の肌対向面（表面シート２との対向面）を被覆する第１のコアラップシート４１ａと、吸収性コア４０の非肌対向面（裏面シート３との対向面）を被覆し且つ肌対向面の縦方向Ｘに沿う側縁まで巻き上げられている第２のコアラップシート４１ｂとからなる。コアラップシート４１は、吸収性コア４０の保形性を維持する目的で用いられている。吸収性コア４０とコアラップシート４１との間は、ホットメルト型接着剤等の公知の接合手段により接合されていても良い。
【００１８】
吸収体４は、表面シート２及び裏面シート３によって挟持・固定されている。吸収体４の縦方向Ｘの前後端縁から前後方向に延出するウエスト部５，５の両方ないし一方には、ウエスト部弾性部材５１が、該ウエスト部５を構成する両シート２，３間に伸長状態で固定されており、また、吸収体４の縦方向Ｘに沿う左右側縁から横方向Ｙに延出するレッグ部６，６それぞれには、レッグ弾性部材６１が、該レッグ部６を構成する両シート２，３間に伸長状態で固定されており、おむつ１の着用時には、これらの弾性部材５１，６１の収縮によりウエストギャザー及びレッグギャザーが形成される。また、おむつ１の表面シート２側における縦方向Ｘに沿う左右両側には、それぞれ立体ガード７が設けられている。立体ガード７の自由端には、立体ガード弾性部材７１が伸長状態で固定されており、おむつ１の着用時には該弾性部材７１の収縮により立体ギャザーが形成される。
【００１９】
図１に示すように、おむつ１の背側部Ｃの縦方向Ｘに沿う両側縁部には、一対のファスニングテープ８，８が設けられている。ファスニングテープ８には、機械的面ファスナーのオス部材からなる図示しない止着部が取り付けられている。また、おむつ１の腹側部Ａの非肌対向面（裏面シート３の非肌対向面）には、機械的面ファスナーのメス部材からなる被止着領域９が形成されている。被止着領域９は、裏面シート３の非肌対向面に、機械的面ファスナーのメス部材を公知の接合手段（例えば、接着剤やヒートシール等）で接合固定して形成されており、ファスニングテープ８の前記止着部を着脱自在に止着可能である。
【００２０】
裏面シート３は、図１及び図２に示すように、透湿性シート３０と不織布３１との積層構造を有している。透湿性シート３０は、裏面シート３の肌対向面（吸収体４との対向面）を形成する内層シートであり、不織布３１は、裏面シート３の非肌対向面（おむつ１の外面）を形成する外層シートであり、前記積層構造は、吸収体４から近い順に、透湿性シート３０、不織布３１を含んで構成されている。図１に示すように、透湿性シート３０と不織布３１とは、縦方向Ｘの長さに関しては同じであるが、横方向Ｙの長さ（幅）に関しては透湿性シート３０の方が不織布３１よりも短く、相対的に幅狭に形成されている。透湿性シート３０及び不織布３１の何れも、腹側部Ａ、股下部Ｂ及び背側部Ｃに亘って配されている。透湿性シート３０は、吸収体４よりも寸法が大きく、吸収体４の非肌対向面（裏面シート３との対向面）の全域が透湿性シート３０によって被覆されている。透湿性シート３０と不織布３１との間は、ホットメルト型接着剤等の公知の接合手段により接合されていても良い。
【００２１】
本実施形態においては、図１に示すように、裏面シート３に、該裏面シート３の地色とは異なる色のデザイン要素３５が複数印刷されている。複数のデザイン要素３５は、それぞれ、平面視ドット状（円形状）をなし、裏面シート３を構成する透湿性シート３０の非肌対向面（不織布３１との対向面）に印刷されている。複数のデザイン要素３５は、散点状に規則的なパターンで、透湿性シート３０の非肌対向面の全域に印刷されており、各デザイン要素３５は、印刷が施されていない透湿性シート３０の無印刷部（地色部）に包囲されている。本実施形態において、透湿性シート３０及び不織布３１の地色は、この種の吸収性物品における裏面シートの素材の色と同様に白色であり、白色以外の有色のデザイン要素３５は、不織布３１越しに透けて見え、おむつ１の外部から視認可能である。
【００２２】
デザイン要素３５は、後述するインジケータ部１０の機能を阻害し無いよう、インジケータ部１０を構成する「水分との接触により変色する剤」の塗布部１１Ｓ，１２Ｓと重ならないよう配することが好ましく、デザイン要素３５自体、水分との接触により変色しない。つまり、デザイン要素３５はインジケータ部１０とは重ならないよう配することが好ましい。デザイン要素３５とインジケータ部１０とが重なる場合は、インジケータ部１０の識別機能を阻害し無いよう、インジケータ部１０の縦方向全長（１００％）に対する、デザイン要素３５とインジケータ部１０との重複部位におけるインジケータ部１０の縦方向の長さは、２０％以下が好ましく、より好ましくは５％以下である。尚、この重複部位でのインジケータ部１０は、平面視において直線状に形成されている部位であり、且つ水分で変色する部位である点で、デザイン要素３５と区別することができる。
【００２３】
おむつ１を構成する他の各構成部材としては、当該技術分野において従来公知のものを特に制限なく用いることができる。表面シート２としては、液透過性シートを用いることができ、例えば、親水性の不織布等を用いることができる。吸収性コア４０としては、例えば、木材パルプ、親水化剤により処理された合繊繊維等の親水性繊維からなる繊維集合体、又は該繊維集合体に粒子状の吸水性ポリマーを保持させたもの等を用いることができる。吸収性コア４０を被覆するコアラップシート４１（４１ａ，４１ｂ）としては、例えば、ティッシュペーパー等の紙や各種不織布、開孔フィルム等の液透過性のシートを用いることができる。弾性部材５１，６１，７１としては各種エラストマー材料を用いることができる。
【００２４】
裏面シート３を構成する透湿性シート３０としては、「シートを厚み方向に貫通する微細孔を備えることで透湿性を有する樹脂フィルム」を用いることができ、該樹脂フィルムとしては、例えば、ポリエチレン、ポリプロピレン等の樹脂からなるフィルムを用いることができる。裏面シート３を構成する不織布３１としては、例えば、スパンボンド不織布、メルトブローン不織布、スパンボンド−メルトブローン−スパンボンド（ＳＭＳ）系不織布、エアスルー不織布、スパンレース不織布、エアレイド不織布等を用いることができる。裏面シート３は、該裏面シート３全体として液不透過性を有していれば良く、透湿性シート３０及び不織布３１は必ずしも液不透過性を有していなくても良い。
【００２５】
図１及び図２に示すように、裏面シート３と吸収体４との間、より具体的には透湿性シート３０とコアラップシート４１ｂとの間には、「水分との接触により変色する剤」の塗布部１１Ｓ，１２Ｓを含んで構成される線状のインジケータ部１０が、少なくとも股下部Ｂ及び背側部Ｃに亘って縦方向Ｘに延びるように形成されている。本実施形態においては、インジケータ部１０は、おむつ１の横方向Ｙの中央部に位置し、股下部Ｂ及び背側部Ｃのみならず腹側部Ａにも亘っている。インジケータ部１０の縦方向の両端部１０ａ，１０ｃは、塗布部１１Ｓ，１２Ｓからなる。塗布部１１Ｓ，１２Ｓは、透湿性シート３０の肌対向面又はコアラップシート４１ｂの非肌対向面に、前記変色する剤を塗布することによって形成されている。
【００２６】
本実施形態のおむつ１の主たる特徴部分の１つとして、図１に示すように、インジケータ部１０の背側部Ｃ側の縦方向端部１０ｃから股下部Ｂの縦方向中央（おむつ１の縦方向Ｘの中央）に亘る、該インジケータ部１０の背側領域１０Ｐに、該インジケータ部１０の他の部位（後述する高視認性部１１，１２）に比して変色後の前記変色する剤の塗布部の視認性の低い低視認性部１３と、該低視認性部１３に比して該視認性の高い高視認性部１１，１２とが設けられている点が挙げられる。尚、ここでいう、「変色後の前記変色する剤の塗布部の視認性」は、おむつ１を外部から目視により観察し、インジケータ部１０を裏面シート３（透湿性シート３０及び不織布３１）越しに見た場合の視認性（見え易さ）を意味する。高視認性部１１，１２は、低視認性部１３を挟んで縦方向Ｘの両側に位置している。高視認性部１１は、低視認性部１３よりもおむつ１の腹側部Ａ側の縦方向端部１ａ寄りに位置し、高視認性部１２は、低視認性部１３よりもおむつ１の背側部Ｃ側の縦方向端部１ｃ寄りに位置している。以下、高視認性部１１を腹側高視認性部１１、高視認性部１２を背側高視認性部１２ともいう。
【００２７】
本実施形態においては、低視認性部１３は、インジケータ部１０の横方向Ｙの全長に亘って前記変色する剤が塗布されていない非塗布部１３Ａからなる。従って、おむつ１を外部から目視により観察し、インジケータ部１０を裏面シート３（透湿性シート３０及び不織布３１）越しに見た場合、非塗布部１３Ａからなる低視認性部１３は、常時、裏面シート３（透湿性シート３０と不織布３１との積層シート）の地色（本実施形態では白色）と同じ色に見える。非塗布部１３Ａの縦方向Ｘの長さＬ（図１参照）は、該非塗布部１３Ａの横方向Ｙの全長に亘って均一となっている。
【００２８】
本実施形態においては、腹側高視認性部１１は、縦方向Ｘに延びる複数（３本）の直線状（矩形形状）の塗布部１１Ｓを含んで構成されている。複数の塗布部１１Ｓは、大きさが同じであり、おむつ１の横方向Ｙの中央部に、それらの縦方向Ｘ（長手方向）の両端部を揃えて、横方向Ｙに等間隔に配されている。同様に、背側高視認性部１２も、縦方向Ｘに延びる複数（３本）の直線状（矩形形状）の塗布部１２Ｓを含んで構成されており、複数の塗布部１２Ｓは、大きさが同じであり、おむつ１の横方向Ｙの中央部に、それらの縦方向Ｘ（長手方向）の両端部を揃えて、横方向Ｙに等間隔に配されている。塗布部１１Ｓと塗布部１２Ｓとは横方向Ｙの長さ（幅）が同じである。このように、腹側高視認性部１１と背側高視認性部１２とは、それらを構成する塗布部の数１１Ｓ，１２Ｓが同じであり、腹側高視認性部１１を構成する１本の塗布部１１Ｓと背側高視認性部１２を構成する１本の塗布部１２Ｓとは、横方向Ｙに関して同位置にある。
【００２９】
本実施形態におけるインジケータ部１０は、図１に示すように、該インジケータ部１０の腹側部Ａ側の縦方向端部１０ａを形成し且つ股下部Ｂから腹側部Ａ側に亘り縦長の複数（３本）の腹側高視認性部１１と、該インジケータ部１０の背側部Ｃ側の縦方向端部１０ｃを形成する背側高視認性部１２とを含み、該背側高視認性部１２は、複数の該腹側高視認性部１１と同数（３本）形成され且つ１本の該腹側高視認性部１１の縦方向Ｘの延長線上に１本の該背側高視認性部１２が位置するように形成されている。複数の腹側高視認性部１１と複数の背側高視認性部１２とは縦方向に所定間隔を置いて形成されており、該間隔が、非塗布部１３Ａからなる低視認性部１３となっている。
【００３０】
このように、インジケータ部１０の背側領域１０Ｐ、より具体的には、インジケータ部１０の背側部Ｃ側の縦方向端部１０ｃの近傍に、前記変色する剤の塗布部の視認性がインジケータ部１０の他の部位に比して相対的に低い、低視認性部１３（非塗布部１３Ａ）が設けられていると、以下に説明するように、そのような低視認性部が設けられておらず、前記変色する剤の塗布部が縦方向Ｘに同一幅で（横方向Ｙの長さが一定で）で連続している場合に比して、前記変色する剤の塗布部の変色の有無及びその変色部の拡がり程度（排泄液の位置）を容易且つ正確に確認できるようになる。
【００３１】
即ち、おむつ１の着用時に尿等の体液が排泄された場合、インジケータ部１０においては、通常、おむつ１の排泄ポイント（股下部Ｂの縦方向Ｘの中央又はその近傍）に位置する部分（塗布部１１Ｓの縦方向Ｘの中央又はその近傍）が最初に排泄液と接触して変色し、その後の繰り返しの排泄によって、インジケータ部１０の変色部は縦方向Ｘの外方に拡大していき、最終的には、インジケータ部１０を構成する塗布部１１Ｓ，１２の全体が変色する。そうなると、おむつ１は、その吸収容量の全てが使用された状態となり、尿を吸収保持するという役割を果たせないので、取り替えが必要となる。また一般に、おむつ１の背側部Ｃは、おむつの着用時において圧迫され易く、少ない排泄量でも漏れが発生し易い部位であり、おむつ１の取り替え時期を見極める際のポイントとなる部位である。以上のことから、例えばおむつ１の着用者が乳幼児の場合、その保護者（母親等）としては、背側部Ｃにおけるインジケータ部１０の状態をこまめに確認することが重要であり、インジケータ部１０の背側部Ｃ側の縦方向端部１０ｃを形成する、高視認性部１２（塗布部１２Ｓ）の縦方向端部が変色する前に、おむつ１を取り替えようと考えるのが通常である。
【００３２】
しかしながら、従来のこの種のインジケータ部のように、低視認性部１３が設けられておらずに前記変色する剤の塗布部がおむつの縦方向に同一幅で連続していると、特に、おむつ着用者がおむつの上に更に衣服を着用していて、その衣服とおむつとの隙間からインジケータ部の状態を瞬時に確認しなければならないような場合には、インジケータ部の変色の有無の確認が困難であり、また、何とかインジケータ部の変色部を確認できても、その拡がり程度（変色部と未変色部との境界の位置）を正確に確認するのは困難であり、結果として、おむつの取り替えを適切なタイミングで実施するのが困難になる。
【００３３】
これに対し、本実施形態のように、インジケータ部１０の背側領域１０Ｐ（インジケータ部１０の背側部Ｃ側の縦方向端部１０ｃの近傍）に、常時裏面シート３の地色（白色）と同じ色にしか見えない低視認性部１３（非塗布部１３Ａ）が設けられていると、特に、インジケータ部１０の変色部が低視認性部１３の近傍に到達している場合には、白色の低視認性部１３とその近傍の白色ではない有色の変色部との対比によって、おむつ１とそれを覆う衣服との隙間からインジケータ部１０の状態を瞬時に確認しなければならないような場合でも、変色部の有無を容易に確認できる。また、特に、低視認性部１３よりもおむつ１の背側部Ｃ側の縦方向端部１ｃ寄りに位置する、背側高視認性部１２（塗布部１２Ｓ）に変色が及んだ場合には、隣接する低視認性部１３との対比により、その変色を確認し易く、また、その拡がり程度（変色部と未変色部との境界の位置）も正確に確認できる。従って、本実施形態のおむつ１によれば、背側部Ｃにおける排泄の有無及びその排泄液の位置をインジケータ部１０によって容易且つ正確に確認することができる。
【００３４】
このような、低視認性部１３の存在に起因する作用効果、特に排泄液の位置をより一層容易且つ正確に確認できるようにする観点から、低視認性部１３は、インジケータ部１０の背側部Ｃ側の縦方向端部１０ｃ〔背側高視認性部１２（塗布部１２Ｓ）の、おむつ１の背側部Ｃ側の縦方向端部１ｃ寄りの縦方向端部〕から縦方向Ｘの内方に５０ｍｍ以内に存していることが好ましく、３０ｍｍ以内に存していることが更に好ましい。
【００３５】
また、インジケータ部１０に低視認性部１３が設けられていても、その縦方向Ｘの長さＬ（図１参照）が短すぎると、おむつ１を外部から観察する観察者が低視認性部１３の存在を認識し難くなり、高視認性部１１，１２（塗布部１１Ｓ，１２Ｓ）が連結していてインジケータ部１０が縦方向Ｘに連続しているかの如き印象を観察者に与え、結果として前述した作用効果が得られないおそれがある。また、逆に、低視認性部１３の縦方向Ｘの長さＬが長すぎると、腹側高視認性部１１と背側高視認性部１２とが離れすぎる結果、両視認性部１１，１２が１つのインジケータ部を構成しているとは観察者に認識されない場合があり、その場合には前述した作用効果は得られない。斯かる観点から、低視認性部１３の縦方向Ｘの長さＬは、好ましくは２ｍｍ以上２０ｍｍ以下、更に好ましくは５ｍｍ以上１５ｍｍ以下である。
【００３６】
また、インジケータ部１０の背側部Ｃ側の縦方向端部１０ｃを形成する背側高視認性部１２（塗布部１２Ｓ）は、該高視認性部１２に隣接する低視認性部１３を挟んで縦方向Ｘの反対側に位置する、腹側高視認性部１１（塗布部１１Ｓ、他の高視認性部）に比して、変色後の色が濃いことが好ましい。斯かる構成により、高視認性部１２の変色後の視認性がより一層高まり、前述した低視認性部１３の存在に起因する作用効果、特に、インジケータ部１０における変色部の拡がり程度（排泄液の位置）の確認作業の容易性及び正確性が一層向上する。
【００３７】
前記のように、背側高視認性部１２（塗布部１２Ｓ）が腹側高視認性部１１（塗布部１１Ｓ、他の高視認性部）に比して変色後の色が濃い場合、高視認性部１２の変色後の色は、透湿性シート３０及び不織布３１の地色（本実施形態では白色）とは異なっており、裏面シート３（透湿性シート３０及び不織布３１）を介して、おむつ１の外部から透けて見え、おむつ１の外部から視認可能である。この場合、腹側高視認性部１１の変色後の色に比べ背側高視認性部１２の変色後の色の方が、裏面シート３（透湿性シート３０と不織布３１との積層シート）との明度差が大きいことが好ましい。つまり、変色後の背側高視認性部１２と裏面シート３との明度Ｌ＊の差（明度差ΔＬ１２）の方が、変色後の腹側高視認性部１１と裏面シート３との明度Ｌ＊の差（明度差ΔＬ１１）よりも大きいことが好ましい。斯かる構成により、母親等のおむつ着用者の保護者にとって重要な情報である、尿等の体液が排泄された事実を該保護者がより容易且つ正確に確認することが可能となる。斯かる作用効果をより確実に奏させるようにする観点から、前記明度差ΔＬ１２と前記明度差ΔＬ１１との差（ΔＬ１２−ΔＬ１１）は、好ましくは６以上、更に好ましくは９〜１５である。前記明度Ｌ＊は、色差計を用いて後述する方法によって測定される。
【００３８】
背側高視認性部１２（塗布部１２Ｓ）の変色後の色を他の高視認性部１１（塗布部１１Ｓ）のそれよりも濃くする方法としては、高視認性部１２（塗布部１２Ｓ）における前記変色する剤の塗布坪量を高視認性部１１（塗布部１１Ｓ）よりも増やす、即ち、高視認性部１２（塗布部１２Ｓ）において前記変色する剤を高視認性部１１（塗布部１１Ｓ）よりも厚く塗る方法が挙げられる。高視認性部１２（塗布部１２Ｓ）における前記変色する剤の塗布坪量と高視認性部１１（塗布部１１Ｓ）における前記変色する剤の塗布坪量との比（前者／後者）は、好ましくは１．２以上４以下、更に好ましくは１．５以上３以下である。高視認性部１２（塗布部１２Ｓ）における前記変色する剤の塗布坪量は、好ましくは１２ｇ／ｍ2以上５０ｇ／ｍ2以下、更に好ましくは１５ｇ／ｍ2以上４０ｇ／ｍ2以下である。
【００３９】
また、前述した低視認性部１３の存在に起因する作用効果は、裏面シート３（透湿性シート３０、不織布３１）に施される印刷（デザイン要素３５）を工夫することによっても向上させ得る。即ち、前述した低視認性部１３の存在に起因する作用効果を一層向上させる観点からは、裏面シート３における、インジケータ部１０をおむつ１の背側部Ｃ側の縦方向端部１ｃに向けて仮想的に延長した場合のその仮想延長線（図１中斜線を付した部分）と重なる領域（以下、インジケータ部背側外方領域ともいう。）は、裏面シート３の該インジケータ部背側外方領域以外の他の領域に比して、デザイン要素３５の単位面積当たりの数（印刷密度）が少ないことが好ましい。斯かる構成により、インジケータ部１０、特に、前記インジケータ部背側外方領域に隣接する高視認性部１２（塗布部１２Ｓ）の視認性が向上し、前述した低視認性部１３の存在に起因する作用効果の一層の向上に繋がることになる。
【００４０】
斯かる作用効果をより確実に奏させるようにする観点から、前記インジケータ部背側外方領域と裏面シート３（透湿性シート３０）の該インジケータ部背側外方領域以外の他の領域とにおけるデザイン要素３５の単位面積当たりの数の比〔前記インジケータ部背側外方領域におけるデザイン要素３５の単位面積当たりの数／裏面シート３（透湿性シート３０）の他の領域におけるデザイン要素３５の単位面積当たりの数〕は、好ましくは０以上０．８以下、更に好ましくは０．２以上０．５以下である。
【００４１】
同様の観点からは、裏面シート３の前記インジケータ部背側外方領域には印刷を施さないこと、即ち本実施形態で言えば、透湿性シート３０の前記インジケータ部背側外方領域にはデザイン要素３５を印刷しないことも、塗布部１２Ｓの視認性の向上等に有効であると言える。
【００４２】
また、インジケータ部１０の機能を最大限に発揮させ、延いては、前述した低視認性部１３の存在に起因する作用効果をより一層確実に奏させるようにする観点から、インジケータ部１０の各部の寸法等は次のように設定することが好ましい。
インジケータ部１０の縦方向Ｘの長さ（高視認性部１１，１２及び低視認性部１３を含めた縦方向Ｘの最大長さ）は、吸収体４の縦方向Ｘの最大長さを１００としたとき、好ましくは５０以上９０以下、更に好ましくは５５以上７５以下である。
腹側高視認性部１１を構成する塗布部１１Ｓの横方向Ｙの長さ（幅）は、好ましくは１ｍｍ以上１０ｍｍ以下、更に好ましくは１．２５ｍｍ以上５ｍｍ以下である。背側高視認性部１２を構成する塗布部１２Ｓの横方向Ｙの長さも、塗布部１１Ｓと同じに設定することができる。
腹側高視認性部１１を構成する塗布部１１Ｓの数は、１本でも良く、あるいは本実施形態のように複数本でも良く、複数本とする場合は、好ましくは２本以上６本以下、更に好ましくは３本以上５本以下である。背側高視認性部１２を構成する塗布部１２Ｓの数も、腹側高視認性部１１を構成する塗布部１１Ｓの数と同じに設定することができる。
【００４３】
インジケータ部１０（塗布部１１Ｓ，１２Ｓ）の形成材料である、「水分との接触により変色する剤」について説明すると、前記変色する剤は、水分と接触することによって視覚的に変化する変色物質を含む、親水性の組成物であり、該変色物質に加えて更に、接着剤として機能する粘着性物質を含んでいても良い。従って、インジケータ部１０は、おむつ１の着用者（例えば乳幼児）の尿等の体液の排泄を観察者（例えば母親）に知らせるインジケータ手段としての機能に加えて、裏面シート３と吸収体４との間を接合する接合手段としての機能も有していても良い。
【００４４】
前記変色する剤（親水性の組成物）に含まれる前記変色物質としては、例えばｐＨ指示薬が挙げられる。ｐＨ指示薬は、インジケータ部１０が適用される吸収性物品の種類等に応じて適宜選択することができ、本実施形態のように吸収性物品が使い捨ておむつの場合には、尿との接触の前後で色が変化するものを用いることが好ましく、例えば、ブロモフェノールブルー、メチルオレンジ、アリザンＳ、ブロモクレゾールグリーン、メチルレッド、ブロモクレゾールパープル、レザズリン等、ｐＨが３〜７で変色するものが好ましい。本発明で好ましく用いられる変色物質（ｐＨ指示薬）の例としてはブロモクレゾールグリーンやブロモクレゾールパープル、レザズリンを挙げることができ、その場合、インジケータ部１０（塗布部１１Ｓ，１２Ｓ）は、変色前（水分との接触前）は黄〜橙色、変色後は緑〜紫色である。高視認性部１１，１２の前記変色物質も、前記したものと同様のｐＨ指示薬を用いることができる。低視認性部１３についても、前記変色物質を用いる場合は、前記したものと同様のｐＨ指示薬を用いることができる。
【００４５】
また、前記変色する剤（親水性の組成物）に含まれ得る前記粘着性物質としては、前記変色物質との相溶性の点から親水性を有するものが好ましい。そのような物質としては例えば、少なくとも水分と接触する前には裏面シート３（透湿性シート３０）と吸収体４（コアラップシート４１ｂ）との間を接合する接着剤として機能する、親水性のポリマーが挙げられ、具体的には例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。高視認性部１１，１２の前記粘着性物質も、前記したものと同様の物質を用いることができる。低視認性部１３についても、前記粘着性物質を用いる場合は、前記したものと同様の物質を用いることができる。
【００４６】
インジケータ部１０（塗布部１１Ｓ，１２Ｓ）の変色前後の色は、通常、それぞれ、透湿性シート３０及び不織布３１の地色（本実施形態では白色）とは異なっており、裏面シート３（透湿性シート３０及び不織布３１）を介して、おむつ１の外部から透けて見える。インジケータ部１０の変色前後の色は、おむつ１の外部から視認可能であれば良く、特に制限されないが、変色前に比べ変色後の方が裏面シート３（透湿性シート３０と不織布３１との積層シート）との明度差が大きい、即ち、変色後のインジケータ部１０と裏面シート３との明度Ｌ＊の差（明度差ΔＬａ）の方が、変色前のインジケータ部１０と裏面シート３との明度Ｌ＊の差（明度差ΔＬｂ）よりも大きいことが好ましい。斯かる構成により、母親等のおむつ着用者の保護者にとって重要な情報である、尿等の体液が排泄された事実を該保護者がより容易且つ正確に確認することが可能となる。
【００４７】
斯かる作用効果をより確実に奏させるようにする観点から、前記明度差ΔＬａと前記明度差ΔＬｂとの差（ΔＬａ−ΔＬｂ）は、好ましくは１０以上、更に好ましくは１２以上２８以下である。また、前記明度差ΔＬａは、好ましくは１０以上４０以下、更に好ましくは１６以上３２以下であり、前記明度差ΔＬｂは、好ましくは０以上１０以下、更に好ましくは６以上８以下である。また、変色後のインジケータ部１０の明度Ｌ＊は、好ましくは６４以上８４以下、更に好ましくは７０以上８０以下であり、変色前のインジケータ部１０の明度Ｌ＊は、好ましくは８６以上１００以下、更に好ましくは９２以上９８以下である。尚、ここでいう、変色後又は変色前のインジケータ部１０の明度Ｌ＊は、裏面シート３を介さずにインジケータ部１０について直接明度Ｌ＊を測定した場合の測定値を意味する。
【００４８】
前記明度Ｌ＊は、色差計によって測定される。本発明においては、日本電色工業（株）のハンディ型分光色差計ＮＦ７７７（商品名）を用い、照明条件Ｃ、視野角条件２°、正面受光条件＝０／４５°、光束径φ１０ｍｍの測定条件で、測定サンプルの裏側に被覆材を５ｍｍ以上の厚さとなるように複数枚重ねた状態で反射光を測定して求められる。
【００４９】
図３及び図４には、それぞれ、本発明に係るインジケータ部の変形例が示されている。尚、図３及び図４では、それぞれ、説明容易の観点から、おむつ１の輪郭のみを記載し、おむつ１の他の構成部材の図示を省略している。後述する変形例については、前記実施形態と異なる構成部分を主として説明し、同様の構成部分は同一の符号を付して説明を省略する。特に説明しない構成部分は、前記実施形態についての説明が適宜適用される。
【００５０】
図３（ａ）に示すインジケータ部１０Ａにおいては、インジケータ部１０の背側領域１０Ｐに、非塗布部１３Ａからなる低視認性部１３が、複数（３個）設けられている。即ち、インジケータ部１０Ａの腹側部Ａ側の縦方向端部１０ａを形成する腹側高視認性部１１（塗布部１１Ｓ）と、インジケータ部１０Ａの背側部Ｃ側の縦方向端部１０ｃを形成する背側高視認性部１２（塗布部１２Ｓ）との間には、腹側高視認性部１１に近い順に、背側高視認性部１４及び背側高視認性部１５が形成されており、これら複数の高視認性部１１，１４，１５，１２は、縦方向Ｘに所定間隔を置いて形成されており、各該間隔が、非塗布部１３Ａ（低視認性部１３）となっている。複数（３個）の低視認性部１３の縦方向Ｘの長さ〔前記長さＬ（図１参照）に相当〕は同じである。背側高視認性部１４，１５は、それぞれ、背側高視認性部１２と同様に、縦方向Ｘに延びる複数（３本）の直線状の塗布部を含んで構成されており、これら複数の塗布部は、大きさが同じであり、おむつ１の横方向Ｙの中央部に、それらの縦方向Ｘ（長手方向）の両端部を揃えて、横方向Ｙに等間隔に配されている。背側高視認性部１２と背側高視認性部１４，１５とは、それらを構成する塗布部の数が同じであり、背側高視認性部１２を構成する１本の塗布部１２Ｓと背側高視認性部１４，１５を構成する１本の塗布部とは、横方向Ｙに関して同位置にある。
【００５１】
つまり、インジケータ部１０Ａは、図３（ａ）に示すように、該インジケータ部１０Ａの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ａの背側部Ｃ側の縦方向端部１０ｃを形成する背側高視認性部１２（塗布部１２Ｓ）とを含んでいる。背側高視認性部１２は、複数の腹側高視認性部１１と同数の３本形成され且つ１本の該腹側高視認性部１１の縦方向Ｘの延長線上に１本の該背側高視認性部１２が位置するように形成されている。３本の腹側高視認性部１１と３本の背側高視認性部１２との間に、他の背側高視認性部１４，１５が、各腹側高視認性部１１とその縦方向Ｘの延長線上に位置する1本の背側高視認性部１２との間に縦方向Ｘに所定間隔を置いて２本位置するように形成されており、各該間隔（高視認性部１１，１４，１５，１２それぞれの間隔）は、非塗布部１３Ａからなる低視認性部１３となっている。各低視認性部１３（前記間隔）の縦方向Ｘの長さは同じである。複数の背側高視認性部１２及び他の背側高視認性部１４，１５は、平面視における大きさが同じであり、おむつ１の横方向Ｙの中央部に、それらの縦方向Ｘの両端部を揃えて、横方向Ｙに等間隔に配されている。
【００５２】
図３（ｂ）に示すインジケータ部１０Ｂにおいては、低視認性部１３は、塗布部１３Ｓを含んで構成されており、前記変色する剤の非塗布部のみからなるものではない。そして、インジケータ部１０Ｂの任意の部位を横方向Ｙに横断する１本の仮想直線Ｑと前記変色する剤の塗布部（１１Ｓ，１２Ｓ，１３Ｓ）との重なり部分の長さの合計を、該部位における前記変色する剤の塗布幅とした場合、インジケータ部１０Ｂにおいては、低視認性部１３は、高視認性部１１，１２に比して、該塗布幅が小さい。即ち、インジケータ部１０Ｂを横方向Ｙに横断する仮想直線Ｑを１本引いた場合に、低視認性部１３における、任意の１本の仮想直線Ｑと前記変色する剤の塗布部（塗布部１３Ｓ）との重なり部分の長さの合計（前記変色する剤の塗布幅）の方が、高視認性部１１，１２における、任意の１本の仮想直線Ｑと前記変色する剤の塗布部（塗布部１１Ｓ，１２Ｓ）との重なり部分の長さの合計（前記変色する剤の塗布幅）よりも小さい。
【００５３】
インジケータ部１０Ｂにおいては、高視認性部１１，１２は、それぞれ、横方向Ｙに所定間隔を置いて配された複数（３本）の塗布部１１Ｓ，１２Ｓを含んで構成されているのに対し、低視認性部１３は、塗布部１１Ｓ，１２Ｓと横方向Ｙの長さが同じ塗布部１３Ｓを１本含んでいるのみであり、高視認性部１１，１２に比して塗布部の数が少なく、結果として前記塗布幅が小さい。インジケータ部１０Ｂにおける塗布部１３Ｓは、縦方向Ｘに延びる直線状をなし、高視認性部１１，１２をそれぞれ構成する複数（３本）の塗布部１１Ｓ，１２Ｓのうちの一部どうし、より具体的には、横方向Ｙの中央に位置する塗布部１１Ｓ，１２Ｓどうしを繋ぐ連結部となっており、該塗布部１１Ｓ，１２Ｓと横方向Ｙの長さ（幅）が同じである。
【００５４】
つまり、インジケータ部１０Ｂは、図３（ｂ）に示すように、該インジケータ部１０Ｂの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ｂの背側部Ｃ側の縦方向端部１０ｃを形成する背側高視認性部１２（塗布部１２ｓ）とを含んでいる。背側高視認性部１２は、複数の腹側高視認性部１１と同数の３本形成され且つ１本の該腹側高視認性部１１の縦方向Ｘの延長線上に１本の該背側高視認性部１２が位置するように形成されている。３本の腹側高視認性部１１と３本の背側高視認性部１２との間に、塗布部１３Ｓ及び前記変色する剤の非塗布部を含む低視認性部１３が形成されている。低視認性部１３に含まれる低視認性部用塗布部１３Ｓは、腹側高視認性部１１及び背側高視認性部１２をそれぞれ構成する３本の塗布部１１Ｓ，１２Ｓのうちの横方向Ｙの中央に位置する塗布部１１Ｓ，１２Ｓどうしを繋ぎ且つ該中央に位置する一部と同幅の連結部となっている。一方、低視認性部１３に含まれる低視認性部用非塗布部は、前記連結部の横方向Ｙの左右両外方に位置し、各該非塗布部の縦方向Ｘの長さが同じである。
【００５５】
インジケータ部１０Ｂにおける低視認性部１３は、高視認性部１１，１２に比して前記塗布幅が小さいものの、前記変色する剤（水分との接触により変色する剤）が塗布されているので、非塗布部１３Ａからなる低視認性部１３のように、前記変色する剤の塗布部（塗布部１３Ｓ）の視認性はゼロではないが、高視認性部１１，１２よりも低く、場合によっては、裏面シート３（透湿性シート３０と不織布３１との積層シート）の地色（白色）と略同じ色に見える。従って、インジケータ部１０Ｂを採用した場合でも、前述したインジケータ部１０，１０Ａを採用した場合と同様の効果が奏される。
【００５６】
このような、前記変色する剤の塗布部（塗布部１３Ｓ）を含む低視認性部１３による作用効果をより確実に奏させるようにする観点から、該低視認性部１３における、前述した仮想直線Ｑに関わる前記変色する剤の塗布幅（図３（ｂ）に示す実施形態では１本の塗布部１３Ｓの横方向Ｙの長さに相当）は、好ましくは５ｍｍ以下、更に好ましくは３ｍｍ以下である。
【００５７】
図３（ｃ）に示すインジケータ部１０Ｃにおいても、図３（ｂ）に示すインジケータ部１０Ｂと同様に、低視認性部１３は、塗布部１３Ｓを含んで構成されており、前記変色する剤の非塗布部のみからなるものではない。インジケータ部１０Ｃにおいては、低視認性部１３は、高視認性部１１，１２それぞれと同数（３本）の塗布部１３Ｓを含んで構成されている。複数（３本）の塗布部１３Ｓは、複数（３本）の塗布部１１Ｓ，１２Ｓそれぞれと１対１で対応しており、各塗布部１３Ｓは、横方向Ｙに関して同位置にある塗布部１１Ｓと塗布部１２Ｓとを繋ぐ連結部となっている。しかしながら、インジケータ部１０Ｃにおいては、低視認性部１３を構成する３本の塗布部１３Ｓは、何れもそれと連結している高視認性部１１，１２の塗布部１１Ｓ，１２Ｓに比して、横方向Ｙの長さ（幅）が短い。従って、インジケータ部１０Ｃの低視認性部１３は、その縦方向Ｘの両側に位置する高視認性部１１，１２に比して、前述した仮想直線Ｑに関わる前記変色する剤の塗布幅が小さく、結果として前記変色する剤の塗布部の視認性が相対的に低い。
【００５８】
つまり、インジケータ部１０Ｃは、図３（ｃ）に示すように、該インジケータ部１０Ｃの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ｃの背側部Ｃ側の縦方向端部１０ｃを形成する背側高視認性部１２（塗布部１２ｓ）とを含んでいる。背側高視認性部１２は、複数の腹側高視認性部１１と同数の３本形成され且つ１本の該腹側高視認性部１１の縦方向Ｘの延長線上に１本の該背側高視認性部１２が位置するように形成されている。３本の腹側高視認性部１１と３本の背側高視認性部１２との間に、これら両高視認性部１１，１２と同数（３本）の塗布部１３Ｓを含む低視認性部１３が形成されている。低視認性部１３に含まれる３本の低視認性部用塗布部１３Ｓは、３本の腹側高視認性部１１を構成する腹側高視認性部用塗布部１１Ｓ及び３本の背側高視認性部１２を構成する背側高視認性部用塗布部１２Ｓそれぞれと１対１で対応し、且つ各該低視認性部用塗布部１３Ｓは、横方向Ｙに関して同位置にある１本の腹側高視認性部用塗布部１１Ｓと１本の背側高視認性部用塗布部１２Ｓとを繋ぎ且つこれら両塗布部１１Ｓ，１２Ｓよりも幅狭い連結部となっている。
【００５９】
図４（ａ）に示すインジケータ部１０Ｄにおいても、図３（ｂ）に示すインジケータ部１０Ｂと同様に、低視認性部１３は、塗布部１３Ｓを含んで構成されており、前記変色する剤の非塗布部のみからなるものではない。インジケータ部１０Ｄにおいては、低視認性部１３は、前述した仮想直線Ｑに関わる前記変色する剤の塗布幅が部分的に異なっており、より具体的には、「１本の塗布部１３Ｓを含む部分」を腹側高視認性部１１寄りに有し、且つ「２本の塗布部１３Ｓを含む部分」を背側高視認性部１２寄りに有し、これら両部分は、縦方向Ｘにおいて重複していない。インジケータ部１０Ｄの低視認性部１３において、「１本の塗布部１３Ｓを含む部分」（塗布部１１Ｓ寄りの部分）の塗布部１３Ｓは、腹側高視認性部１１を構成する複数（３本）の塗布部１１Ｓのうちの横方向Ｙの中央に位置する１本が、背側高視認性部１２に向かって延出することにより形成されており、また、「２本の塗布部１３Ｓを含む部分」（塗布部１２Ｓ寄りの部分）の塗布部１３Ｓは、背側高視認性部１２を構成する複数（３本）の塗布部１２Ｓのうちの左右両側方に位置する２本が、腹側高視認性部１１に向かって延出することにより形成されている。インジケータ部１０Ｄの低視認性部１３は、その前記「１本の塗布部１３Ｓを含む部分」及び前記「２本の塗布部１３Ｓを含む部分」の何れもが、その縦方向Ｘの両側に位置する高視認性部１１，１２に比して、前述した仮想直線Ｑに関わる前記変色する剤の塗布幅が小さく、結果として前記変色する剤の塗布部の視認性が相対的に低い。
【００６０】
つまり、インジケータ部１０Ｄは、図４（ａ）に示すように、該インジケータ部１０Ｄの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ｄの背側部Ｃ側の縦方向端部１０ｃを形成する背側高視認性部１２（塗布部１２ｓ）とを含んでいる。背側高視認性部１２は、複数の腹側高視認性部１１と同数の３本形成され且つ１本の該腹側高視認性部１１の縦方向Ｘの延長線上に１本の該背側高視認性部１２が位置するように形成されている。３本の腹側高視認性部１１と３本の背側高視認性部１２との間に、塗布部１３Ｓ及び前記変色する剤の非塗布部を含む低視認性部１３が形成されている。低視認性部１３は、該低視認性部１３の任意の部位を横方向Ｙに横断する１本の仮想直線Ｑと該低視認性部１３に含まれる前記塗布部１３Ｓとの重なり部分の長さの合計（前記変色する剤の塗布幅）が部分的に異なっている。
【００６１】
より具体的には、インジケータ部１０Ｄにおいて、低視認性部１３における腹側高視認性部１１寄りの部分は、該腹側高視認性部１１を構成する３本の腹側高視認性部用塗布部１１Ｓのうちの横方向Ｙの中央に位置する１本が、背側高視認性部１２に向かって延出することによって形成された塗布部１３Ｓと、該塗布部１３Ｓの横方向Ｙの左右両外方に位置する前記非塗布部とから形成されている。また、低視認性部１３における背側高視認性部１２寄りの部分は、該背側高視認性部１２を構成する３本の背側高視認性部用塗布部１２Ｓのうちの横方向Ｙの中央を除く部分に位置する２本が、腹側高視認性部１１に向かって延出することによって形成された２本の塗布部１２Ｓと、２本の該塗布部１２Ｓに挟まれた前記非塗布部とから形成されている。
【００６２】
図４（ｂ）に示すインジケータ部１０Ｅは、インジケータ部１０Ｅの背側部Ｃ側の縦方向端部１０ｃを構成する背側高視認性部１２の平面視形状の点で、図１に示すインジケータ部１０と異なる。即ち、インジケータ部１０Ｅにおいては、背側高視認性部１２を構成する複数（３本）の塗布部１２Ｓは、それぞれ、平面視して三角形形状（二等辺三角形形状）をなしている。複数の三角形形状の塗布部１２Ｓは、それぞれ、その三角形の頂部を腹側高視認性部１１に向け且つ該頂部と対向する一辺をおむつ１の背側部Ｃ側の縦方向端部１ｃに向けて配されており、該縦方向端部１ｃに向かうにつれて横方向Ｙの長さ（幅）が漸次狭くなるように配されている。
【００６３】
つまり、インジケータ部１０Ｅは、図４（ｂ）に示すように、該インジケータ部１０Ｅの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ｅの背側部Ｃ側の縦方向端部１０ｃを形成する背側高視認性部１２（塗布部１２ｓ）とを含んでいる。背側高視認性部１２は、複数の腹側高視認性部１１と同数の３本形成され且つ１本の該腹側高視認性部１１の縦方向Ｘの延長線上に１本の該背側高視認性部１２が位置するように形成されている。３本の背側高視認性部１２を構成する背側高視認性部用塗布部１２Ｓは、それぞれ、平面視して三角形形状をなし、且つその三角形の頂部を腹側高視認性部１１に向け且つ該頂部と対向する一辺をおむつ１の背側部Ｃ側の縦方向端部１ｃに向けて配されており、該縦方向端部１ｃに向かうにつれて横方向Ｙの長さが漸次狭くなっている。３本の腹側高視認性部１１と３本の平面視三角形形状の背側高視認性部１２との間は、前記変色する剤の非塗布部１３Ａからなる低視認性部１３となっており、該低視認性部１３（非塗布部１３Ａ）の縦方向Ｘの長さは均一である。
【００６４】
図４（ｃ）に示すインジケータ部１０Ｆは、低視認性部１３を挟んで縦方向Ｘの両側に位置する高視認性部１１，１２の、前述した仮想直線Ｑに関わる前記変色する剤の塗布幅の点で、図１に示すインジケータ部１０と異なる。即ち、インジケータ部１０Ｆにおいては、インジケータ部１０Ｆの背側部Ｃ側の縦方向端部１０ｃを形成する高視認性部１２は、該高視認性部１２に隣接する低視認性部１３を挟んで縦方向Ｘの反対側に位置する、高視認性部１１（他の高視認性部）に比して、前記塗布幅が大きい。より具体的には、インジケータ部１０Ｆにおいては、腹側高視認性部１１を構成する塗布部１１Ｓが３本であるのに対し、背側高視認性部１２を構成する塗布部１２Ｓは５本であって、背側高視認性部１２は、腹側高視認性部１１に比して塗布部の数が多いため、前述した仮想直線Ｑに関わる前記変色する剤の塗布幅が大きく、結果として前記変色する剤の塗布部の視認性が相対的に高い。斯かる構成により、背側高視認性部１２の変色後の視認性がより一層高まり、前述した低視認性部１３の存在に起因する作用効果、特に、インジケータ部１０Ｆにおける変色部の拡がり程度（排泄液の位置）の確認作業の容易性及び正確性が一層向上する。
【００６５】
つまり、インジケータ部１０Ｆは、図４（ｃ）に示すように、該インジケータ部１０Ｆの腹側部Ａ側の縦方向端部１０ａを形成し且つ股下部Ｂから腹側部Ａ側に亘り縦長の３本の腹側高視認性部１１（塗布部１１ｓ）と、該インジケータ部１０Ｆの背側部Ｃ側の縦方向端部１０ｃを形成する背側高視認性部１２（塗布部１２ｓ）とを含んでいる。背側高視認性部１２は、複数の腹側高視認性部１１よりも多数の５本形成されており、その５本のうちの該腹側高視認性部１１と同数の３本が、１本の該腹側高視認性部１１の縦方向Ｘの延長線上に１本の該背側高視認性部１２が位置するように形成されており、残りの２本が、これら３本の横方向Ｙの左右両外方に位置するように形成されている。３本の腹側高視認性部１１と５本の背側高視認性部１２との間は、前記変色する剤の非塗布部１３Ａからなる低視認性部１３となっており、該低視認性部１３（非塗布部１３Ａ）の縦方向Ｘの長さは均一である。
【００６６】
以上、本発明について説明したが、本発明は、前述した実施形態に制限されず適宜変更可能である。例えば、本発明に係るインジケータ部においては、該インジケータ部の背側部Ｃ側の縦方向端部１０ｃを形成する背側高視認性部１２（塗布部１２Ｓ）と、該高視認性部１２に隣接する低視認性部１３を挟んで縦方向Ｘの反対側に位置する他の高視認性部（図３（ａ）に示すインジケータ部１０Ａにおいては高視認性部１５、それ以外のインジケータ部においては腹側高視認性部１１）とで、変色前の色が異なっていても良く、変色後の色が異なっていても良く、両方の色が異なっていても良い。
【００６７】
また、前記実施形態では、裏面シート３は２枚のシート（透湿性シート３０及び不織布３１）から構成されていたが、１枚のシートから構成されていても良く、３枚以上のシートから構成されていても良い。また、前記実施形態では、デザイン要素３５は、透湿性シート３０の非肌対向面（不織布３１との対向面）に印刷されていたが、肌対向面（吸収体４との対向面）に印刷されていても良く、あるいは透湿性シート３０ではなくて不織布３１に印刷されていても良く、両方３０，３１に印刷されていても良い。また、デザイン要素３５の形状は、前記実施形態の如きドット状（円形状）に制限されず、正方形形状、長方形形状、菱形形状、楕円形形状、多角形形状、星型形状等、種々の形状とすることができる。また、前記実施形態では、複数のデザイン要素３５は全て同じ形状であったが、形状の異なる複数種のデザイン要素が混在していても構わない。
【００６８】
また、本発明の吸収性物品は、展開型の使い捨ておむつに制限されず、人体から排出される液の吸収に用いられる物品を広く包含し、パンツ型の使い捨ておむつ、生理用ナプキン、生理用ショーツ等も包含される。
【００６９】
前述した本発明の実施形態に関し、更に以下の付記（吸収性物品）を開示する。
【００７０】
＜１＞
吸収体と該吸収体の非肌対向面側に配された裏面シートとを備え、着用者の前後方向に相当する縦方向とこれに直交する横方向とを有し、着用時に着用者の腹側に配される腹側部、股間部に配される股下部及び背側に配される背側部を有する縦長の吸収性物品であって、
前記裏面シートと前記吸収体との間に、水分との接触により変色する剤の塗布部を含んで構成されるインジケータ部が、少なくとも前記股下部及び前記背側部に亘って縦方向に延びるように形成されており、
前記インジケータ部の前記背側部側の縦方向端部から前記股下部の縦方向中央に亘る、該インジケータ部の背側領域に、該インジケータ部の他の部位に比して変色後の前記塗布部の視認性の低い低視認性部と、該低視認性部に比して該視認性の高い高視認性部とが設けられており、該低視認性部を挟んで縦方向の両側に該高視認性部が位置しており、
１）前記低視認性部は、前記インジケータ部の横方向の全長に亘って前記変色する剤が塗布されていない非塗布部からなるか、又は、
２）前記インジケータ部の任意の部位を横方向に横断する１本の仮想直線と前記塗布部との重なり部分の長さの合計を、該部位における前記変色する剤の塗布幅とした場合、前記低視認性部は、前記高視認性部に比して、該塗布幅が小さい吸収性物品。
【００７１】
＜２＞
前記低視認性部は、前記インジケータ部の前記背側部側の縦方向端部から縦方向内方に５０ｍｍ以内に存している前記＜１＞記載の吸収性物品。
＜３＞
前記低視認性部の縦方向の長さは２〜２０ｍｍである前記＜１＞又は＜２＞記載の吸収性物品。
＜４＞
前記低視認性部の縦方向の長さは、５〜１５ｍｍである前記＜１＞〜＜３＞の何れか一項に記載の吸収性物品。
【００７２】
＜５＞
前記インジケータ部の前記背側部側の縦方向端部を形成する前記高視認性部は、該高視認性部に隣接する前記低視認性部を挟んで縦方向の反対側に位置する、他の前記高視認性部に比して、変色後の色が濃い前記＜１＞〜＜４＞の何れか一項に記載の吸収性物品。
＜６＞
前記インジケータ部の前記背側部側の縦方向端部を形成する前記高視認性部は、該高視認性部に隣接する前記低視認性部を挟んで縦方向の反対側に位置する、他の前記高視認性部に比して、前記塗布幅が大きい前記＜１＞〜＜５＞の何れか一項に記載の吸収性物品。
＜７＞
前記裏面シートに、該裏面シートの地色とは異なる色のデザイン要素が複数印刷されており、
前記裏面シートにおける、前記インジケータ部を前記吸収性物品の前記背側部側の縦方向端部に向けて仮想的に延長した場合のその仮想延長線と重なる領域（インジケータ部背側外方領域）は、該裏面シートの該領域以外の他の領域に比して、前記デザイン要素の単位面積当たりの数が少ない前記＜１＞〜＜６＞の何れか一項に記載の吸収性物品。
＜８＞
前記裏面シートにおける、前記インジケータ部を前記吸収性物品の前記背側部側の縦方向端部に向けて仮想的に延長した場合のその仮想延長線と重なる領域には、印刷が施されていない前記＜１＞〜＜６＞の何れか一項に記載の吸収性物品。
【００７３】
＜９＞
前記インジケータ部背側外方領域と前記裏面シートにおける該領域以外の他の領域とにおける、前記デザイン要素の単位面積当たりの数の比〔前記インジケータ部背側外方領域における前記デザイン要素の単位面積当たりの数／前記裏面シートの他の領域における前記デザイン要素の単位面積当たりの数〕は、０以上０．８以下である前記＜７＞記載の吸収性物品。
＜１０＞
前記デザイン要素は、前記裏面シートを構成する透湿性シートの非肌対向面若しくは肌対向面、又は該裏面シートを構成する不織布、又は該透湿性シート及び該不織布の両方に印刷されており、
前記デザイン要素の形状は、ドット状（円形状）、正方形形状、長方形形状、菱形形状、楕円形形状、多角形形状又は星型形状である前記＜７＞又は＜９＞記載の吸収性物品。
【００７４】
＜１１＞
前記インジケータ部は、前記吸収性物品の横方向の中央部に位置し、前記股下部及び前記背側部のみならず前記腹側部にも亘っており、
前記インジケータ部の縦方向の両端部は、それぞれ、前記塗布部からなり、前記裏面シートを構成する透湿性シートの肌対向面、又は前記吸収体を構成する吸収性コアの非肌対向面を被覆するコアラップシートの非肌対向面に、前記変色する剤を塗布することによって形成されている前記＜１＞〜＜１０＞の何れか一項に記載の吸収性物品。
＜１２＞
前記インジケータ部の縦方向の長さは、前記吸収体の縦方向の最大長さを１００としたとき、好ましくは５０以上９０以下、更に好ましくは５５以上７５以下である前記＜１＞〜＜１１＞の何れか一項に記載の吸収性物品。
＜１３＞
前記高視認性部を構成する前記塗布部の横方向の長さ（幅）は、好ましくは１ｍｍ以上１０ｍｍ以下、更に好ましくは１．２５ｍｍ以上５ｍｍ以下である前記＜１＞〜＜１２＞の何れか一項に記載の吸収性物品。
＜１４＞
前記高視認性部を構成する前記塗布部の数は、好ましくは２本以上６本以下、更に好ましくは３本以上５本以下である前記＜１＞〜＜１３＞の何れか一項に記載の吸収性物品。
【００７５】
＜１５＞
変色後の前記インジケータ部と前記裏面シートとの明度Ｌ＊の差（明度差ΔＬａ）の方が、変色前の該インジケータ部と該裏面シートとの明度Ｌ＊の差（明度差ΔＬｂ）よりも大きい前記＜１＞〜＜１４＞の何れか一項に記載の吸収性物品。
＜１６＞
前記明度差ΔＬａと前記明度差ΔＬｂとの差（ΔＬａ−ΔＬｂ）は、好ましくは１０以上、更に好ましくは１２以上２８以下であり、
前記明度差ΔＬａは、好ましくは１０以上４０以下、更に好ましくは１６以上３２以下であり、
前記明度差ΔＬｂは、好ましくは０以上１０以下、更に好ましくは６以上８以下である前記＜１＞〜＜１５＞の何れか一項に記載の吸収性物品。
＜１７＞
変色後の前記インジケータ部の明度Ｌ＊は、好ましくは６４以上８４以下、更に好ましくは７０以上８０以下であり、
変色前の前記インジケータ部１０の明度Ｌ＊は、好ましくは８６以上１００以下、更に好ましくは９２以上９８以下である前記＜１＞〜＜１６＞の何れか一項に記載の吸収性物品。
＜１８＞
前記変色する剤は親水性の組成物であり、該組成物は、水分と接触することによって視覚的に変化する変色物質と、接着剤として機能する粘着性物質とを含み、
前記変色物質は、ブロモフェノールブルー、メチルオレンジ、アリザンＳ、ブロモクレゾールグリーン、メチルレッド、ブロモクレゾールパープル及びレザズリンからなる群から選択される１種以上であり、
前記粘着性物質は、ポリエチレングリコール、ポリプロピレングリコール、ポリビニルアルコール、ポリアミド及びビニルピロリドンホモポリマーからなる群から選択される１種以上である前記＜１＞〜＜１７＞の何れか一項に記載の吸収性物品。
【００７６】
＜１９＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部と同数（３本）形成され且つ１本の該腹側高視認性部の縦方向の延長線上に１本の該背側高視認性部が位置するように形成されており、
複数（３本）の前記腹側高視認性部と複数（３本）の前記背側高視認性部との間に、他の背側高視認性部が、各該腹側高視認性部とその縦方向の延長線上に位置する1本の該背側高視認性部との間に縦方向に所定間隔を置いて複数（２本）位置するように形成されており、各該間隔は、前記非塗布部からなる前記低視認性部となっており、各該低視認性部の縦方向の長さは同じであり、
複数の前記背側高視認性部及び前記他の背側高視認性部は、平面視における大きさが同じであり、前記吸収性物品の横方向の中央部に、それらの縦方向の両端部を揃えて、横方向に等間隔に配されている前記＜１＞〜＜１８＞の何れか一項に記載の吸収性物品。
【００７７】
＜２０＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部と同数（３本）形成され且つ１本の該腹側高視認性部の縦方向の延長線上に１本の該背側高視認性部が位置するように形成されており、
複数（３本）の前記腹側高視認性部と複数（３本）の前記背側高視認性部との間に、前記塗布部及び前記非塗布部を含む前記低視認性部が形成されており、
前記低視認性部に含まれる塗布部は、前記腹側高視認性部及び前記背側高視認性部をそれぞれ構成する複数（３本）の前記塗布部のうちの一部（横方向の中央に位置する塗布部）どうしを繋ぎ且つ該一部と同幅の連結部となっており、
前記低視認性部に含まれる非塗布部は、前記連結部の横方向の左右両外方に位置し、各該非塗布部の縦方向の長さが同じである前記＜１＞〜＜１８＞の何れか一項に記載の吸収性物品。
【００７８】
＜２１＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部と同数（３本）形成され且つ１本の該腹側高視認性部の縦方向の延長線上に１本の該背側高視認性部が位置するように形成されており、
複数（３本）の前記腹側高視認性部と複数（３本）の前記背側高視認性部との間に、これら両高視認性部と同数（３本）の前記塗布部を含む前記低視認性部が形成されており、
前記低視認性部に含まれる複数（３本）の塗布部は、複数（３本）の前記腹側高視認性部を構成する腹側高視認性部用塗布部及び複数（３本）の前記背側高視認性部を構成する背側高視認性部用塗布部それぞれと１対１で対応し、且つ各該塗布部は、横方向に関して同位置にある１本の該腹側高視認性部用塗布部と１本の該背側高視認性部用塗布部とを繋ぎ且つこれら両塗布部よりも幅狭い連結部となっている前記＜１＞〜＜１８＞の何れか一項に記載の吸収性物品。
【００７９】
＜２２＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部と同数（３本）形成され且つ１本の該腹側高視認性部の縦方向の延長線上に１本の該背側高視認性部が位置するように形成されており、
複数（３本）の前記腹側高視認性部と複数（３本）の前記背側高視認性部との間に、前記塗布部及び前記非塗布部を含む前記低視認性部が形成されており、
前記低視認性部は、該低視認性部の任意の部位を横方向に横断する１本の仮想直線と該低視認性部に含まれる前記塗布部との重なり部分の長さの合計（前記変色する剤の塗布幅）が部分的に異なっている前記＜１＞〜＜１８＞の何れか一項に記載の吸収性物品。
＜２３＞
前記低視認性部における前記腹側高視認性部寄りの部分は、該腹側高視認性部を構成する複数（３本）の腹側高視認性部用塗布部のうちの横方向の中央に位置する１本が、前記背側高視認性部に向かって延出することによって形成された前記塗布部と、該塗布部の横方向の左右両外方に位置する前記非塗布部とから形成されており、
前記低視認性部における前記背側高視認性部寄りの部分は、該背側高視認性部を構成する複数（３本）の背側高視認性部用塗布部のうちの横方向の中央を除く部分に位置する２本が、前記腹側高視認性部に向かって延出することによって形成された２本の前記塗布部と、該２本の塗布部に挟まれた前記非塗布部とから形成されている前記＜２２＞記載の吸収性物品。
【００８０】
＜２４＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部と同数（３本）形成され且つ１本の該腹側高視認性部の縦方向の延長線上に１本の該背側高視認性部が位置するように形成されており、
複数（３本）の前記背側高視認性部を構成する背側高視認性部用塗布部は、それぞれ、平面視して三角形形状をなし、且つその三角形の頂部を前記腹側高視認性部に向け且つ該頂部と対向する一辺を前記吸収性物品の前記背側部側の縦方向端部に向けて配されており、該縦方向端部に向かうにつれて横方向の長さが漸次狭くなっており、
複数（３本）の前記腹側高視認性部と複数（３本）の平面視三角形形状の前記背側高視認性部との間は、前記非塗布部からなる前記低視認性部となっており、該低視認性部の縦方向の長さは均一である前記＜１＞〜＜１８＞の何れか一項に記載の吸収性物品。
【００８１】
＜２５＞
前記インジケータ部は、該インジケータ部の前記腹側部側の縦方向端部を形成し且つ前記股下部から該腹側部側に亘り縦長の複数（３本）の腹側高視認性部と、該インジケータ部の前記背側部側の縦方向端部を形成する背側高視認性部とを含み、
前記背側高視認性部は、複数の前記腹側高視認性部よりも多数（５本）形成されており、その多数（５本）のうちの該腹側高視認性部と同数（３本）の該背側高視認性部が、１本の該腹側高視認性部の縦方向の延長線上に１本の該背側高視認性部が位置するように形成されており、残り（２本）の該背側高視認性部が、該腹側高視認性部と同数（３本）の該背側高視認性部の横方向の左右両外方に位置するように形成されており、
複数（３本）の前記腹側高視認性部とこれよりも多数（５本）の前記背側高視認性部との間は、前記非塗布部からなる前記低視認性部となっており、該低視認性部の縦方向の長さは均一である前記＜１＞〜＜１８＞の何れか一項に記載の吸収性物品。
【００８２】
＜２６＞
前記吸収性物品は使い捨ておむつである前記＜１＞〜＜２５＞の何れか一項に記載の吸収性物品。
＜２７＞
更に、肌対向面を形成する表面シートを備え、前記吸収体は、該表面シートと前記裏面シートとの間に配置されており、
前記吸収体の縦方向の前後端縁から前後方向に延出するウエスト部の両方ないし一方に、ウエスト部弾性部材が、該ウエスト部を構成する前記表面シート及び前記裏面シートの間に伸長状態で固定されていると共に、前記吸収体の縦方向に沿う左右側縁から横方向に延出するレッグ部それぞれに、レッグ弾性部材が、該レッグ部を構成する前記表面シート及び前記裏面シートの間に伸長状態で固定されており、前記吸収性物品の着用時には、前記ウエスト弾性部材及び前記レッグ弾性部材の収縮によりウエストギャザー及びレッグギャザーが形成されるようになされており、
前記吸収性物品の前記表面シート側における縦方向に沿う左右両側それぞれに、立体ガードが設けられており、該立体ガードの自由端に、立体ガード弾性部材が伸長状態で固定されており、前記吸収性物品の着用時には、前記立体ガード弾性部材の収縮により立体ギャザーが形成されるようになされている前記＜２６＞記載の吸収性物品。
【符号の説明】
【００８３】
１  使い捨ておむつ（吸収性物品）
１ｃ  使い捨ておむつの背側部側の縦方向端部
２  表面シート
３  裏面シート
１０，１０Ａ，１０Ｂ，１０Ｃ，１０Ｄ，１０Ｅ，１０Ｆ  インジケータ部
１０ｃ  インジケータ部の背側部側の縦方向端部
１０Ｐ  インジケータ部の背側領域
１１  腹側高視認性部
１１Ｓ  塗布部（腹側高視認性部）
１２，１４，１５  背側高視認性部
１２Ｓ  塗布部（背側高視認性部）
１３  低視認性部
１３Ａ  非塗布部（低視認性部）
１３Ｓ  塗布部（低視認性部）
３０  透湿性シート
３１  不織布
３５  デザイン要素
４  吸収体
４０  吸収性コア
４１，４１ａ，４１ｂ  コアラップシート
Ａ  腹側部
Ｂ  股下部
Ｃ  背側部
【図１】
2014147433.tif 000003
【図２】
2014147433.tif 000004
【図３】
2014147433.tif 000005
【図４】
2014147433.tif 000006